(57)【要約】【課題】作業性に優れた照明装置を実現する。【解決手段】光を放射する光源（１２）と、一端が光源（１２）の周縁部を囲う形状を有し、光源（１２）から離れるに従って広がる筒状のリフレクタ（６）と、光源（１２）とリフレクタ（６）とが装着される被装着部（２，９）と、を有し、リフレクタ（６）は、光源（１２）を被装着部（２）から取り外すことなく、被装着部（２，９）に対して着脱可能にした。また、被装着部（２，９）には、リフレクタ（６）が押し込まれるとリフレクタ（６）を保持し、リフレクタ（６）が引き抜かれるとリフレクタ（６）を解放するリフレクタ保持部（９）を設けた。【選択図】図１
2018060596.tif 000002
【特許請求の範囲】
【請求項１】
光を放射する光源と、
一端が前記光源の周辺を囲う形状を有し、前記光源から離れるに従って広がる筒状のリフレクタと、
前記光源と前記リフレクタとが装着される被装着部と、
を有し、前記リフレクタは、前記光源を前記被装着部から取り外すことなく、前記被装着部に対して着脱可能に構成されている
ことを特徴とする照明装置。
【請求項２】
前記被装着部は、
前記リフレクタが押し込まれると前記リフレクタを保持し、前記リフレクタが引き抜かれると前記リフレクタを解放するリフレクタ保持部
を有することを特徴とする請求項１に記載の照明装置。
【請求項３】
前記リフレクタは、
前記光源の光軸に対する内面の角度が変化する接続部と、
前記接続部から前記一端までの部分である近傍部と、
前記接続部から前記リフレクタの他端までの部分である遠方部と、
を有し、前記近傍部の内面が前記接続部に接する箇所において前記光軸に対してなす第１の角度は、前記近傍部の内面が前記接続部に接する箇所において前記光軸に対してなす第２の角度よりも小さい
ことを特徴とする請求項２に記載の照明装置。
【請求項４】
前記遠方部の内面には、凹凸加工が施されている
ことを特徴とする請求項３に記載の照明装置。
【発明の詳細な説明】
【技術分野】
【０００１】
本発明は、照明装置に関する。
【背景技術】
【０００２】
ＬＥＤを用いた様々な照明装置が提案されている。例えば、下記特許文献１には、「内部にＬＥＤ５を収めた器状である器具本体１の外底面に、ＬＥＤ５に電力を供給する電源装置２をアーム部３を介して器具本体１外周の外側領域に位置するように設けている。そして、複数の放熱フィン４を器具本体１の外底面に設け、この放熱フィン４にアーム部３を結合させて器具本体１外周の外側領域に突出するように設けている。」（要約書参照）と記載されている。
【先行技術文献】
【特許文献】
【０００３】
【特許文献１】特開２００８−１５９４５５号公報
【発明の概要】
【発明が解決しようとする課題】
【０００４】
特許文献１にはリフレクタは示されていないが、所望のビーム角等の光学特性を実現するためには、リフレクタを装着することが好ましい。リフレクタを装着した照明装置としては、様々なものが知られている。しかし、従来の照明装置では、照明装置の本体部に対してリフレクタを着脱する際には、ＬＥＤまたは白熱電球等の光源を取り外さなければならず、作業性を損なうという問題があった。
また、照明装置に対して優れた光学特性を付与するためには、リフレクタの表面は鏡面仕上げすることが好ましい。しかし、鏡面仕上げしたリフレクタに指紋等の油脂が付着すると、照明装置の意匠性を損なう。このため、リフレクタの着脱等を行う作業者には注意が求められ、これによっても作業性を損なうという問題が生じていた。
この発明は上述した事情に鑑みてなされたものであり、作業性に優れた照明装置を提供することを目的とする。
【課題を解決するための手段】
【０００５】
上記課題を解決するため本発明の照明装置は、一方の面から光を放射する平板状の光源と、一端が前記光源の周縁部を囲う形状を有し、前記光源から離れるに従って広がる筒状のリフレクタと、前記光源と前記リフレクタとが装着される被装着部と、を有し、前記リフレクタは、前記光源を前記被装着部から取り外すことなく、前記被装着部に対して着脱可能に構成されていることを特徴とする。
【発明の効果】
【０００６】
本発明によれば、作業性に優れた照明装置を実現できる。
【図面の簡単な説明】
【０００７】
【図１】本発明の一実施形態による照明装置の斜視図である。
【図２】照明装置の分解斜視図である。
【図３】照明装置の部分断面図である。
【発明を実施するための形態】
【０００８】
〈実施形態の構成〉
図１は、本発明の一実施形態の照明装置Ｓの斜視図である。
照明装置Ｓは、天井材に形成された円形の穴（図示せず）に埋設して取り付けられ、天井から下方向に向かって光を照射することを想定したものである。図１に示すように、照明装置Ｓは、電源装置１と、ヒートシンク２（被装着部）と、枠部材３と、本体固定バネ４と、電源端子台５と、リフレクタ６と、取付金具７と、補強金具８と、取付バネ９（被装着部、リフレクタ保持部）と、調光端子台１０と、ＬＥＤ基板１２（光源）と、を備えている。図示のように、ＬＥＤ基板１２の放射面（下面）には、百個以上のＬＥＤ（符号なし）が実装されている。
【０００９】
図２は、照明装置Ｓの分解斜視図である。
図２において、電源装置１は、電源ケース１ａと、電源カバー１ｂと、電源基板１１と、を有している。電源基板１１は、電源ケース１ａにネジ（符号なし）で係止され、電源ケース１ａは、電源カバー１ｂとともに、ヒートシンク２に左右方向からネジで係止される。さらに、電源カバー１ｂは、ヒートシンク２に上下方向からネジで係止される。また、電源ケース１ａの端部には、電源端子台５と調光端子台１０とがネジで係止される。電源端子台５と電源基板１１との間、および、調光端子台１０と電源基板１１との間には、電力を入出力するための電線（図示せず）が接続されている。さらに、電源基板１１には、ＬＥＤ基板１２に電力を供給する電源回路（図示せず）が搭載されており、電源基板１１とＬＥＤ基板１２とは電線（図示せず）で接続されている。
【００１０】
ヒートシンク２の底面にはＬＥＤ基板１２が装着され、ＬＥＤ基板１２の下面には、ＬＥＤホルダ１３と透明カバー１４とが共に複数のネジ（符号なし）によりヒートシンク２に装着される。ＬＥＤホルダ１３の上面には、ＬＥＤ基板１２の外形に沿った凹部（図示せず）が形成されている。また、ＬＥＤホルダ１３の下面には、透明カバー１４の外形に沿った凹部（図示せず）が形成されている。これら凹部にＬＥＤ基板１２および透明カバー１４を嵌め込み、透明カバー１４の下方からネジを挿入／回転させると、ヒートシンク２、ＬＥＤ基板１２、ＬＥＤホルダ１３、および透明カバー１４が相互に固定される。
【００１１】
補強金具８は略円環状に形成され、複数のネジ（図示せず）によってヒートシンク２に装着される。また、枠部材３は、補強金具８よりも大径の略円環状に形成され、補強金具８の下方に配置される。補強金具８には、その外周の周回等分３箇所において、略長方形板状の３個の取付金具７の上端部がリベット等によって結合されている。そして、これら取付金具７の下端部は、リベット等によって枠部材３の内周部分に結合されている。このように、補強金具８は、３個の取付金具７の上端部を相互に結合し、枠部材３はこれら取付金具７の下端部を相互に結合し、これによって取付金具７の変形を防止する。
【００１２】
また、各取付金具７には、上下方向に沿ってスリット（符号なし）が形成されており、各スリットには、本体固定バネ４が装着されている。これらの本体固定バネ４はバネ性を有し、力が加わっていない場合には、図示のように外方向に下端が広がるような形状になる。本体固定バネ４は、人間の指の力によって容易にすぼめることが可能であるとともに、取付金具７に対する装着位置を上下方向に移動させることが可能になっている。リフレクタ６は、下方向に向かって径が広がる略ホーン状に形成されている。リフレクタ６の上端部分には、半径方向の断面形状が略「Π」字状であるフランジ部６ｄが、ＬＥＤ基板１２の周縁部を囲うように形成されている。
【００１３】
また、ヒートシンク２の下端周縁部には、３個の取付バネ９が装着されている。取付バネ９は、ヒートシンク２に装着される略矩形の装着部９ａと、内側に向かってＶ字状に突出する係止部９ｂと、を有している。リフレクタ６を下方向からヒートシンク２に向かって移動させると、リフレクタ６のフランジ部６ｄと、取付バネ９の係止部９ｂとが当接する。ここで、リフレクタ６をヒートシンク２に向かってさらに押し上げると、フランジ部６ｄによって係止部９ｂが押し広げられる。そして、フランジ部６ｄが係止部９ｂのＶ字状の頂点部分を過ぎると、係止部９ｂが若干内側に戻り、係止部９ｂによってフランジ部６ｄが保持される。
【００１４】
上述したように、本実施形態の照明装置Ｓは、天井材に形成された円形の穴（図示せず）に埋設して取り付けられることを想定している。この円形の穴の直径は、補強金具８の外径よりも大きく、枠部材３の外径よりも小さい。照明装置Ｓを天井材に装着する場合は、まず、照明装置Ｓからリフレクタ６を取り外す。そして、電源装置１の側から照明装置Ｓを円形の穴に遊挿し、３個の本体固定バネ４を、円形の穴の周縁部に当接させる。そして、本体固定バネ４を指ですぼめながら、さらに照明装置Ｓを押し上げる。すると、本体固定バネ４は、円形の穴を抜け、上方で広がる。
【００１５】
次に、枠部材３の内側から手を入れて、３個の本体固定バネ４を順次つまんで押し下げてゆく。すると、３個の本体固定バネ４と、枠部材３とが上下から天井材を挟むようになり、照明装置Ｓが天井材に固定される。このように、取付金具７に対して本体固定バネ４を上下方向に移動可能にしたことにより、様々な厚さ（例えば５ｍｍ〜２５ｍｍの範囲）の天井材に照明装置Ｓを装着することが可能になる。この状態でリフレクタ６を下方から枠部材３の内側に挿入して押し上げると、上述したように、取付バネ９の係止部９ｂによってリフレクタ６のフランジ部６ｄが保持される。
【００１６】
また、照明装置Ｓを天井材から取り外す際には、リフレクタ６を照明装置Ｓから引き抜き、枠部材３の内側から手を入れて、３個の本体固定バネ４を順次つまんで上方向に引き上げ、しかる後に３個の本体固定バネ４をすぼめるとよい。このように、本実施形態のリフレクタ６は、「押し込む」または「引き抜く」という簡単な操作によって、照明装置Ｓに対して着脱できる。従来の照明器具では、例えばスクリュードライバーやローレットナット等を用いてリフレクタを着脱していたため、これらと比較して、本実施形態によれば、高い作業性を実現できる。
【００１７】
図３は、照明装置Ｓの部分断面図である。
図３において、リフレクタ６は、上述したフランジ部６ｄに加えて、ＬＥＤ基板１２から離れた遠方部６ａと、ＬＥＤ基板１２の近傍の近傍部６ｃと、両者の接続箇所である接続部６ｂと、を有している。近傍部６ｃは、ＬＥＤ基板１２から離れるにつれて、径を広げる中空円錐台状に形成され、近傍部６ｃの内壁は、ＬＥＤ基板１２の光軸ＣＬに対して角度θ１（第１の角度）だけ傾いている。また、遠方部６ａは、ＬＥＤ基板１２から離れるにつれて、径を広げる中空円錐台状に形成され、遠方部６ａの内壁は、ＬＥＤ基板１２の光軸ＣＬに対して角度θ２だけ傾いている。但し、図示のように、角度θ１は角度θ２よりも小さい。
【００１８】
接続部６ｂにおいて、リフレクタ６の内面は折れ曲るような形状を有している。但し、接続部６ｂは、若干の曲率を伴って、湾曲するように構成してもよい。また、図示の状態において、フランジ部６ｄは、取付バネ９の係止部９ｂの傾斜部分に当接している。係止部９ｂは内側に狭まる方向に付勢されているため、これによってフランジ部６ｄは上方向に付勢され、透明カバー１４に密着している。また、枠部材３には、遠方部６ａの周縁部に沿った凹部３ａが形成されている。取付バネ９によってリフレクタ６が上方向に付勢されると、遠方部６ａの周縁部も、枠部材３の凹部３ａに嵌め込まれる。
【００１９】
リフレクタ６の基材はプラスチックであり、その基材の内面には、アルミ蒸着処理が施されている。そして、近傍部６ｃの内面は、いわゆる鏡面仕上りになっている。基材であるプラスチックには、遠方部６ａの内面においてシボ加工等の凹凸加工が施されている。そして、アルミ蒸着処理を施すと、遠方部６ａの内面は、いわゆる梨地仕上りになる。近傍部６ｃを鏡面仕上りにした理由は、この部分にはＬＥＤ基板１２からの放射光が反射されるため、光学特性に優れる（反射率の高い）仕上がりが好ましいためである。
【００２０】
一方、遠方部６ａの内面を梨地仕上りにした理由は、リフレクタ６を照明装置Ｓに着脱する際に作業者の手が触れやすいためである。すなわち、遠方部６ａを鏡面仕上りにしておくと、作業者の指紋等の油脂が付着し、照明装置Ｓの意匠性を損なう。そこで、遠方部６ａの内面を梨地仕上りにすることにより、指紋等の油脂を目立ちにくくした。遠方部６ａを梨地仕上りにすると、遠方部６ａの反射率は近傍部６ｃの反射率よりも低くなる。しかし、遠方部６ａの角度θ２は、近傍部６ｃの角度θ１よりも大きいため、遠方部６ａにはＬＥＤ基板１２の放射光が直接的には当たらない。これにより、遠方部６ａの反射率が照明装置Ｓの光学特性に与える影響を極めて小さくすることができる。
【００２１】
以上のように、本実施形態の照明装置Ｓは、光を放射する光源（１２）と、一端が光源（１２）の周辺を囲う形状を有し、光源（１２）から離れるに従って広がる筒状のリフレクタ（６）と、光源（１２）とリフレクタ（６）とが装着される被装着部（２，９）と、を有し、リフレクタ（６）は、光源（１２）を被装着部（２）から取り外すことなく、被装着部（２，９）に対して着脱可能に構成されている。
これにより、リフレクタ（６）を着脱する際に光源（１２）を取り外す手間を省くことができ、作業性を高めることができる。
【００２２】
また、被装着部（２，９）は、リフレクタ（６）が押し込まれるとリフレクタ（６）を保持し、リフレクタ（６）が引き抜かれるとリフレクタ（６）を解放するリフレクタ保持部（９）を有する。
これにより、リフレクタ（６）の着脱するにあたって、スクリュードライバーやローレットナット等を操作する必要がなくなるから、作業性を一層高めることができる。
【００２３】
また、リフレクタ（６）は、光源（１２）の光軸（ＣＬ）に対する内面の角度が変化する接続部（６ｂ）と、接続部（６ｂ）から一端までの部分である近傍部（６ｃ）と、接続部（６ｂ）からリフレクタ（６）の他端までの部分である遠方部（６ａ）と、を有し、近傍部（６ｃ）の内面が接続部（６ｂ）に接する箇所において光軸（ＣＬ）に対してなす第１の角度（θ１）は、近傍部（６ｃ）の内面が接続部（６ｂ）に接する箇所において光軸（ＣＬ）に対してなす第２の角度（θ２）よりも小さい。
さらに、遠方部（６ａ）の内面には、凹凸加工が施されている。
これにより、遠方部（６ａ）に指紋等の油脂が付着したとしても、目立ちにくくすることができ、作業性を一層高めることができる。
【００２４】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、上記実施形態の構成に他の構成を追加してもよく、構成の一部について他の構成に置換をすることも可能である。上記実施形態に対して可能な変形は、例えば以下のようなものである。
【００２５】
（１）上記実施形態においては、リフレクタ６の遠方部６ａの内面を梨地仕上りにしたが、これに代えて、岩目状、砂目状、布地模様等、他の凹凸加工を施してもよい。
【００２６】
（２）上記実施形態においては、光源としてＬＥＤ基板１２を適用したが、例えば、有機ＥＬ（エレクトロルミネセンス）、無機ＥＬ等、他の光源を適用してもよい。
【００２７】
（３）上記実施形態において、遠方部６ａおよび近傍部６ｃの形状は、中空円錐台状であったが、他の形状、例えば回転放物面形状や回転楕円面形状であってもよい。この種の形状では、図３に示した角度θ１，θ２は位置によって異なるが、接続部６ｂに接する箇所における角度θ２（遠方部６ａの内壁が光軸ＣＬに対してなす角度）が角度θ１（近傍部６ｃの内壁が光軸ＣＬに対してなす角度）よりも大きければ、上記実施形態と同様の効果を奏する。
【符号の説明】
【００２８】
２  ヒートシンク（被装着部）
６  リフレクタ
６ａ  遠方部
６ｂ  接続部
６ｃ  近傍部
９  取付バネ（被装着部、リフレクタ保持部）
１２  ＬＥＤ基板（光源）
θ１  角度（第１の角度）
θ２  角度（第２の角度）
ＣＬ  光軸
Ｓ  照明装置
【図１】
2018060596.tif 000003
【図２】
2018060596.tif 000004
【図３】
2018060596.tif 000005